(57)【要約】      （修正有）【課題】寒冷地、軟弱な地盤でも簡単に工事が行える耐荷重性、耐凍上性のあるアンカー基礎を提供する。【解決手段】複数本のスクリュウアンカーを地面にねじ込んでそれらを丈夫な金属板で繋いで一体となし、その金属板を基盤として、その上に重量物を載せる。スクリュウアンカー４本を地面の一辺７０ｃｍほどの正方形の各頂点に対応する位置に、トッププレート４が地面の表面に接するところまでねじ込む。その時スパイラル３とシャフト１は地下にもぐっている。４本のスクリュウアンカーを連結するために、Ｘ字形金具６を差し渡して、Ｘ字形金具の先端部にある寸切りボルト取り付け穴７に寸切りボルト５を差し込む。その上から厚さ５ｍｍ、１ｍ角のベースプレート８の四隅に開けた固定用穴９にそれぞれ寸切りボルト５を差込み、ワッシャーとナットで固定して一体化する。スクリュウアンカー同士を繋ぐことにより、スクリュウアンカー単独の場合だと荷重により回転してしまう恐れを取り除くことができる。【選択図】図２
0003160003.tif 000002
【実用新案登録請求の範囲】
【請求項１】
直径３〜４ｃｍ、長さ８０〜１２０ｃｍの金属製のパイプの先端部分５ｃｍ程は地面に刺さり易いように尖らせてねじが切ってあり、先端部分に続く約２５ｃｍには、外径１３〜１５ｃｍ、内径は３〜４ｃｍ、ピッチ１０ｃｍほどの金属製のスパイラルが取り付けてある構造の手回しのスクリュウアンカーで、パイプの頭部には外径３ｃｍほど、長さ２０ｃｍほどの寸切ボルトが接合してあり、その接合点にはつかのようにパイプに対して直角に、直径１０〜２０ｃｍの金属プレートが取り付けてある構成のスクリュウアンカー数本を、一定間隔を置いて、金属プレートが地面に接するところまでねじ込んだ後、前もってスクリュウアンカーの位置に対応する所に穴を開けた厚さ約５ｍｍの金属板に、地上に出ている寸切ボルトをそれぞれの穴に垂直に差し込んで、ナット締めしてスクリュウアンカーと金属板を一体化し、戸外に置く重量物の基盤として使用する耐荷重性、耐凍上性があることを特徴とするアンカー基礎。
【請求項２】
請求項１記載のスクリュウアンカー４本を地面の一辺７０ｃｍほどの正方形の各頂点に対応する位置に金属プレートが地表面に接するまでねじ込み、その地上に出た寸切りボルト４本を繋ぐために、厚さ１ｃｍほど、幅５ｃｍほど、長さ１ｍほどの金属の平板をＸ字形に組んで、そのＸ字の各頂点には、直径４ｃｍほどの穴の開いた８ｃｍ角の金属平板が溶接して取り付けてあるＸ字形金具を用意し、その４個の穴に４本の寸切りボルトを差し込んで保持し、その上に厚さ５ｍｍほど、一辺約１ｍの四角い金属板でできた、四隅の寸切りボルトに対応する場所に穴の開いたベースプレートを、それぞれの穴に寸切りボルトが抜き通るようにかぶせ、穴から突き出ている寸切りボルトにワッシャーを嵌めてナットで締めて、スクリュウアンカーとＸ字形金具とベースプレートを一体化することを特徴とする請求項１記載のアンカー基礎。
【請求項３】
基礎が不必要になった時、ナットを緩めてベースプレートをはずし、それぞれのスクリュウアンカーを逆回転させて地面から抜き取り、再利用することが可能であることを特徴とする請求項１記載のアンカー基礎。
【考案の詳細な説明】
【技術分野】
【０００１】  重量物を載せるための基礎に関する。
【従来技術】
【０００２】  戸外に重量物を設置する時に重量物が不等沈下など起こさないようにするためには、地下を深く掘り、型枠を立て、コンクリートを打ち込んで丈夫な基礎を作らねばならなかった。
【０００３】  特に寒冷地では、冬季の凍上による不陸障害等を避けるためには、この基礎工事の深さはその地方の凍結深度以下にしなければならなかった。
【０００４】  軟弱地盤の場合、基礎工事そのものが、作業の安全性の確保が必要で、骨の折れる仕事であった。かつコンクリートの基礎の場合、養生に数日間がかかった。
【考案の開示】
【考案が解決しようとする課題】
【０００５】  寒冷地、軟弱な地盤でも短時間で簡単に工事が行える耐荷重性、耐凍上性のある基礎が求められていた。
【課題を解決するための手段】
【０００６】  本考案は上記問題に鑑みてなされたものであり、工作機械を使用しなくても、人力で地面にねじ込めるスクリュウアンカーを耐加重かつ耐凍上のアンカーとして使用することに思い至った。【０００７】  複数本のスクリュウアンカーを地面にねじ込んでそれらを丈夫な金属板で繋いで一体となし、その金属板の上に重量物を載せる基盤とする方法である。【０００８】  いかほどの径と長さのスパイラルを使用すれば、どの程度の硬さの土でどれぐらいの耐荷重性が得られるか、またどれぐらいの深さまでねじ込めば、耐凍上性が確保できるかといったことを計算と実験で確かめた。
【考案の効果】
【０００９】  本考案のアンカー基礎を使用すれば、重機を使用しなくても、短時間で簡単に耐荷重性のある基礎の工事が行え、部材費、工事費を著しく軽減する効果がある。
【考案を実施するための最良の形態】
【００１０】  直径３ｃｍ、長さ１２０ｃｍの金属製のパイプの先端は地面に刺さり易いように尖らせてねじが切ってあり、それに続く先端部約２５ｃｍには、外径１５ｃｍ、内径は３ｃｍ、ピッチ１０ｃｍのスパイラルが取り付けてある構造の手回しのスクリュウアンカーで、パイプの反対側の頭部には外径２．７ｃｍ、長さ２０ｃｍの寸切ボルトが接合してあり、その接合点にはつかのようにパイプに対して直角方向に、直径１０ｃｍの金属プレートが取り付けてある構成のスクリュウアンカー数本を、一定間隔で地面にねじ込んだ後、予め所定の位置に穴を開けた、厚さ５ｍｍの金属板に前述の寸切ボルトをそれぞれの穴に垂直に差し込んで、ナット締めして一体となし、戸外に置く重量物の基盤として使用する。
【実施例】
【００１１】  本考案のアンカー基礎を図面に基づいて説明すると、図１はアンカー基礎に使用するスクリュウアンカーを示す概念図で、シャフト１は肉厚３．２ｍｍ、外径３．４ｃｍ、長さ１２０ｃｍの金属パイプで、先端部５ｃｍは、ねじを切った錐２が取り付けてある。【００１２】  それに続けて板厚３．２ｍｍの金属板を曲げて作った外径１３．５ｃｍ、内径３．４ｃｍ、ピッチ１０ｃｍ、長さ２５ｃｍのスパイラル３が取り付けてある。【００１３】  スクリュウアンカーのつか部分には板厚６ｍｍ、直径１４ｃｍの円形のトッププレート４が取り付けてあり、さらにそれに続けて、シャフト１の延長線上に外径２．７ｃｍ、長さ２３ｃｍの寸切りボルト５が接続してある。【００１４】  図２には、スクリュウアンカーを地下にねじ込んで一体化する方法の概念が図示してある。スクリュウアンカー４本を地面の一辺７０ｃｍほどの正方形の各頂点に対応する位置に、トッププレート４が地面の表面に接するところまでねじ込む。その時スパイラル３とシャフト１は地下にもぐっている。４本のスクリュウアンカーを連結するために、Ｘ字形金具６を差し渡して、Ｘ字形金具の先端部にある寸切りボルト取り付け穴７に寸切りボルト５を差し込む。【００１５】  その上から厚さ５ｍｍ、１ｍ角のベースプレート８の四隅に開けた固定用穴９にそれぞれ寸切りボルト５を差込み、ワッシャーとナットで固定して一体化する。スクリュウアンカー同士を繋ぐことにより、スクリュウアンカー単独の場合だと荷重により回転してしまう恐れを取り除くことができる。【００１６】  ベースプレート８の上に重量物が載った時、主にスクリュウアンカーのスパイラルの部分で荷重を支える。その値は、土のＮ値が２であるとすると、スクリュウアンカー一本あたりの鉛直支持力は２１２ｋｇになる。したがって４本のスクリュウアンカーの場合の耐荷重は約８５０ｋｇになる。【００１７】  また凍上によって地面が引き上げられる力が働くときはこのスパイラル部がそれに抗する力を発揮し、一本あたりのスクリュウアンカーの鉛直抗力は約２００ｋｇとなる。
【産業上の利用の可能性】
【００１８】  以上述べたように本考案のアンカー基礎はボイラーや灯油タンクのような大型装置を戸外に置き、家屋内とパイプ等で繋がなければならないようなときの基礎として有効である。また基礎が不必要になった時も簡単に撤去し、再利用できるので資源を大事にする自然保護の立場から見ても好ましい。
【図面の簡単な説明】
【００１９】
【図１】スクリュウアンカーを示す概念図
【図２】アンカー基礎の設置状況を示す概念図
【符号の説明】
【００２０】      １  シャフト
２  ねじを切った錐
３  スパイラル
４  トッププレート
５  寸切りボルト
６  Ｘ字形金具
７  ボルト取り付け穴
８  ベースプレート
９  固定用穴
【図１】
0003160003.tif 000003
【図２】
0003160003.tif 000004